(57)【要約】      （修正有）【課題】前面下腹部の局部付近が開口して、着用したまま排泄が可能な補整下着でありながら、無理なく着用することもできる便利な補整下着を提供する。【解決手段】体形を補整する締付手段を適宜部位に設けるとともに、前面下腹部の局部付近が開口１６して、着用したまま排泄が可能な補整下着１１であって、しかも胴回り１３ｂの部分に両端が閉じている適宜の数の縦型スリット１７を形成し、かつ縦型スリット１７に線ファスナーを取り付けて開閉自在としたことを特徴とする。【選択図】図１
0003197653.tif 000002
【実用新案登録請求の範囲】
【請求項１】
体形を補整する締付手段を適宜部位に設けるとともに、前面下腹部の局部付近が開口して、着用したまま排泄が可能な補整下着であって、しかも胴回りの部分に両端が閉じている適宜の数の縦型スリットを形成し、かつ縦型スリットに線ファスナーを取り付けて開閉自在としたことを特徴とする補整下着。
【請求項２】
前記縦型スリットは、前面の腹部と、左右の脇腹部の３本形成されていることを特徴とする請求項１に記載の補整下着。
【請求項３】
前記体形を補整する締付手段は、下腹部の周囲に内蔵された下腹部引上げ用締付ベルトからなることを特徴とする請求項１または２に記載の補整下着。
【請求項４】
前記体形を補整する締付手段は、背面部に縦あるいは斜めに内蔵された猫背矯正用ベルトおよび＼またはピップ引上げ用ベルトからなることを特徴とする請求項１ないし３のいずれかに記載の補整下着。
【請求項５】
前記体形を補整する締付手段は、胸周りの周囲前面に取り付けた伸縮性布ジャバラからなり、かつその裏面に胸パッド用裏ポケットを取り付けてなる請求項１ないし４のいずれかに記載の補整下着。
【考案の詳細な説明】
【技術分野】
【０００１】
この考案は、前面下腹部の局部付近が開口して、着用したまま排泄が可能な補整下着に関するものである。
【背景技術】
【０００２】
従来、この種の前面下腹部の局部付近が開口して、着用したまま排泄が可能な補整下着としては、以下に示すような先行技術が知られている。
１）特開２００８−５０７３６号公報（特許文献１参照）
２）特開２００５−１１３３３１号公報（特許文献２参照）
３）実用新案登録第３１７９０５５号公報（特許文献３参照）
４）実用新案登録第３０２７８７７号公報（特許文献４参照）
５）実開平６−３９９０４号公報（特許文献５参照）
６）実開平２−５３９０８号公報（特許文献６参照）
７）実開昭４９−６６６１３号公報（特許文献７参照）
８）実開昭４７−７０２５号公報（特許文献８参照）
【０００３】
他方、ファスナ等で上部から開閉できるようにして着用しやすくした補整下着も種々提案されている。
９）実用新案登録第３１３９３０２号公報（特許文献９参照）
１０）実用新案登録第３１２３７１１号公報（特許文献１０参照）
１１）実用新案登録第３１０５８６４号公報（特許文献１１参照）
【先行技術文献】
【特許文献】
【０００４】
【特許文献１】特開２００８−５０７３６号公報
【特許文献２】特開２００５−１１３３３１号公報
【特許文献３】実用新案登録第３１７９０５５号公報
【特許文献４】実用新案登録第３０２７８７７号公報
【特許文献５】実開平６−３９９０４号公報
【特許文献６】実開平２−５３９０８号公報
【特許文献７】実開昭４９−６６６１３号公報
【特許文献８】実開昭４７−７０２５号公報
【特許文献９】実用新案登録第３１３９３０２号公報
【特許文献１０】実用新案登録第３１２３７１１号公報
【特許文献１１】実用新案登録第３１０５８６４号公報
【考案の概要】
【考案が解決しようとする課題】
【０００５】
以上のように、前面下腹部の局部付近が開口して、着用したまま排泄が可能な補整下着および、ファスナ等で上部から開閉できるようにして着用しやすくした補整下着はそれぞれ別個に存在するが、着用したまま排泄が可能な補整下着でありながら、着用もしやすくした補整下着はほとんど存在しなかったのが現状である。
【０００６】
この考案の目的は、前面下腹部の局部付近が開口して、着用したまま排泄が可能な補整下着でありながら、無理なく着用することもできる便利な補整下着を提供することにある。
【課題を解決するための手段】
【０００７】
上記の目的を達成するために、この考案の補整下着は体形を補整する締付手段を適宜部位に設けるとともに、前面下腹部の局部付近が開口して、着用したまま排泄が可能な補整下着であって、しかも胴回りの部分に両端が閉じている適宜の数の縦型スリットを形成し、かつ縦型スリットに線ファスナーを取り付けて開閉自在としたことを特徴とするものである。
【０００８】
この考案の補整下着において、前記縦型スリットは前面の腹部と、左右の脇腹部の３本形成されていることをも特徴とするものである。
【０００９】
この考案の補整下着において、前記体形を補整する締付手段は、下腹部の周囲に内蔵された下腹部引上げ用締付ベルトからなることをも特徴とするものである。
【００１０】
この考案の補整下着において、前記体形を補整する締付手段は、背面部に縦あるいは斜めに内蔵された猫背矯正用ベルトおよび＼またはピップ引上げ用ベルトからなることをも特徴とするものである。
【００１１】
この考案の補整下着において、前記体形を補整する締付手段は、胸周りの周囲前面に取り付けた伸縮性布ジャバラからなり、かつその裏面に胸パッド用裏ポケットを取り付けてなることをも特徴とするものである。
【考案の効果】
【００１２】
請求項１に記載の補整下着では、体形を締付手段によって補整することができ、しかも前面下腹部の局部付近が開口して、着用したまま排泄が可能であって、さらに胴回りの部分に形成した適宜の数の縦型スリットに取り付けた線ファスナーを開閉自在としたものである。
このため従来の補整下着とは異なり、着用および締め付けを極めて容易に行うことが可能な補整下着を提供することができる。
【００１３】
請求項２に記載の補整下着では、前記縦型スリットは前面の腹部と、左右の脇腹部の３本形成されている。したがって着用時のゆとりを大きくとることができて着用が容易であり、また簡単にファスナーを閉じて十分な補整力を確保することが可能な補整下着を提供することができる。
【００１４】
請求項３ないし４に記載の補整下着では、前記体形を補整する締付手段として、下腹部の周囲に内蔵された下腹部引上げ用締付ベルト、背面部に縦あるいは斜めに内蔵された猫背矯正用ベルトおよび＼またはピップ引上げ用ベルトからなり、それぞれ強力な補整力を備えた補整下着を提供することが可能となった。
【図面の簡単な説明】
【００１５】
【図１】この考案に係る補整下着の第１実施例を示す正面図である。
【図２】背面図である。
【図３】線ファスナーを開いた状態の正面図である。
【図４】胸部分に取り付けた胸パッド用裏ポケットに胸パッドを取り付けようとする状態を内側から見た断面図である。
【図５】第２実施例を示す正面図である。
【図６】第３実施例を示す正面図である。
【考案を実施するための形態】
【００１６】
以下、この考案に係る補整下着の実施形態を図面に基いて詳細に説明する。
図１および図２はこの考案に係る補整下着の第１実施例を示すもので、図１はこの実施例の補整下着を、図２はその背面図を、また図３はファスナーを開いた状態を示すものである。
【００１７】
図１ないし図３において補整下着１１は、ストラップ（肩紐）１２から胸部１３ａ、胴回り１３ｂ、腰回り（下腹部）１３ｃを経て股部１４から両脚部１５へつながるよう形成されている。
そしてその適所には、体形を補整する締付手段が設けてあり、弛んだ体形をしっかり補整することができるようになっている。図では前記締付手段として腰回り（下腹部）１３ｃの周囲に内蔵された下腹部引上げ用締付ベルト２１が取り付けられている。
【００１８】
また２２ａは、図２に示すピップ引上げ用ベルト２２の前面側端部を示すものである。すなわち、背面部に設けたピップ引上げ用ベルト２２は、左右の臀部を両側から持ち上げることができるよう、両脚部１５から背骨の下端に向けて斜めに弧を描くように配設されている。図において２２ｂは、ピップ引上げ用ベルト２２に内股部分から突き当てるように形成された（図２参照）内股引上げベルト、２２ｃは脚前部引上げベルトである。
図２に示すように、背面部の上部には、所定の間隔で猫背矯正用ベルト２３が縦あるいは斜めに配設されており、その下端は背中を横切るように配設した腰ベルト２４に収束している。したがって、背中は背骨の下方に向かって収束するように牽引され、猫背が矯正されるのである。
また背面部の下部には、上述のピップ引上げ用ベルト２２が下腹部引上げ用締付ベルト２１の背面部中央から斜め下方に伸びており、その中間位置に内股引上げベルト２２ｂが内股部分から突き当てるように形成されている。
この図２の構成は、残りの実施例においても共通している。
【００１９】
この考案の補整下着１１は、前面下腹部の局部付近に開口部１６を設けて開口してあるので、着用したまま排泄が可能である。もちろん、この開口部１６周囲は縫製によって補強されているので、簡単に伸びたりほつれたりすることはない。なお、前記開口部１６の形状やサイズは、着用者に応じて適宜決定することができる。
【００２０】
またこの考案の補整下着１１は、胴回り１３ｂの部分に両端が閉じている適宜の数の縦型スリット１７が形成されている。図では、前面の腹部スリット１７ａと、左右一対の脇腹部の脇部スリット１７ｂ，１７ｃの３本が形成されている。各スリット１７ａ，１７ｂ，１７ｃの上端はそれぞれ胸元の襟ぐり部分よりも下側に位置しており、こうすることによって胸部１３ａの布地がほつれやすくなったり、補整力を直に無くしてしまうことの無いようになっているのである。
【００２１】
なお図３に示すように、前記縦型スリット１７には線ファスナー１８が取り付けてあるので、前記縦型スリット１７は開閉自在である。
このように所定位置に適宜の数のスリット１７ａ，１７ｂ，１７ｃを形成し、同時にそれを線ファスナー１８で開閉自在としたので、着用者が胴回り１３ｂや腰回り（下腹部）１３ｃのサイズが大きな人であっても、線ファスナー１８を開き、各スリット１７ａ，１７ｂ，１７ｃの部位を横に拡げることにより無理無く着用することができる。もちろん、前記線ファスナー１８を閉じることにより補正機能を何ら損なうこともない。
【００２２】
この考案の補整下着１１は、胸部分に胸パッド用裏ポケット３２付きの伸縮性布ジャバラ３１を形成してある。
そして図４に示すように、胸部分に取り付けた胸パッド用裏ポケット３２は上部が開口しているので、その開口部３４から容易に胸パッド３３を挿入し、かつ取り外すことができる。したがって、この布ジャバラ３１はいわゆるブラジャの機能を備えていて、補整下着の他にブラジャを着用する必要をなくすことができる。また着用者は胸部のより高い補整力を期待することができる。
【００２３】
なお、前記伸縮性布ジャバラ３１の胸元の上端には逆三角形のような形状の補強布４１が取り付けてあり、長期間の使用によって緩みやすい胸元が伸びたり、ほころびたりするのを防いでいる。
【００２４】
図５は第２実施例を示すものであり、前記スリット１７ａ，１７ｂ，１７ｃにはスナップボタン５１が取り付けられている。
図６は第３実施例を示すものであり、前記スリット１７ａ，１７ｂ，１７ｃには鉤ホック６１が取り付けられている。
【産業上の利用可能性】
【００２５】
以上、この考案を例えばボディスーツと称される１枚で上半身から下半身までの補正が行える補整下着に適用した場合について説明してきたが、それ以外の用途や名称で用いられている補整下着であっても、同様に適用できることはいうまでもない。
【符号の説明】
【００２６】
１１  補整下着
１２  ストラップ（肩紐）
１３ａ  胸部
１３ｂ  胴回り
１３ｃ  腰回り（下腹部）
１４  股部
１５  両脚部
１６  開口部
１７  縦型スリット
１７ａ  腹部スリット
１７ｂ，１７ｃ  脇部スリット
１８  線ファスナー
２１  下腹部引上げ用締付ベルト
２２  ピップ引上げ用ベルト
２２ａ  ベルト端部
２２ｂ  内股引上げベルト
２２ｃ  脚前部引上げベルト
２３  猫背矯正用ベルト
２４  腰ベルト
３１  伸縮性布ジャバラ
３２  胸パッド用裏ポケット
３３  胸パッド
３４  開口部
４１  補強布
５１  スナップボタン
６１  鉤ホック
【図１】
0003197653.tif 000003
【図２】
0003197653.tif 000004
【図３】
0003197653.tif 000005
【図４】
0003197653.tif 000006
【図５】
0003197653.tif 000007
【図６】
0003197653.tif 000008